(57)【要約】【課題】裏写り除去を効率的に行うことができる画像形成装置を提供する。【解決手段】画像読み取り手段１、画像形成手段３、操作手段４、データ記憶手段５の外、原稿裏面や次ページ原稿表面の画像が原稿表面画像と同時に形成されるのを抑制する裏写り除去手段２を備えた画像形成装置において、読み取り用原稿と同じ媒体にシアン、マゼンタ、イエローの特定濃度パターンを印刷し、該印刷物を裏面からスキャンすることにより原稿材質の透過率を測定し、その値をフィードバックさせて原稿読み取り時の裏写り除去レベルを変化させる機能を有するシステム制御手段７を備えた。【選択図】        図１
2005039420.tif 000002
【特許請求の範囲】
【請求項１】
画像読み取り手段、画像形成手段、操作手段、データ記憶手段の外、原稿裏面や次ページ原稿表面の画像が原稿表面画像と同時に形成されるのを抑制する裏写り除去手段を備えた画像形成装置において、読み取り用原稿と同じ媒体にシアン、マゼンタ、イエローの特定濃度パターンを印刷し、該印刷物を裏面からスキャンすることにより原稿材質の透過率を測定し、その値をフィードバックさせて原稿読み取り時の裏写り除去レベルを変化させる機能を有するシステム制御手段を備えたことを特徴とする画像形成装置。
【請求項２】
請求項１において、原稿材質の透過率は複数の原稿材質用にデータ記憶手段に記憶され、操作手段から、使用する原稿材質に応じて裏写り除去レベルを選択可能であることを特徴とする画像形成装置。
【請求項３】
請求項１において、操作手段から、使用希望／否に応じて原稿透過率検知式裏写り除去機能のＯＮ／ＯＦＦを変更可能であることを特徴とする画像形成装置。
【発明の詳細な説明】
【０００１】
【発明の属する技術分野】
本発明は、裏写り除去機能を搭載した画像形成装置に関し、特に裏写り除去レベルの自動設定技術に関するものである。
【０００２】
【従来の技術】
原稿裏面や次ページ原稿表面の画像が原稿表面画像と同時に形成されるのを抑制する裏写り除去手段を備えた画像形成装置は、例えば、特許文献１に提案されている。
【特許文献１】特開２００１−１６９０８０公報
【０００３】
【発明が解決しようとする課題】
上記従来技術によれば、裏写り除去レベル変更は、ユーザが手動操作により任意に指定するのみであり、原稿厚さや原稿地肌色に起因する光学的透過率に応じた自動設定はできなかった。よって、レベル変更を任意に設定し、一度画像形成物を出力し、不本意ならば再度レベル設定するという試行錯誤的なレベル設定に頼っていた。これは画像出力にかかる時間的な浪費、あるいはサプライの浪費につながることになる。
本発明はこの問題点を解決し、裏写り除去を効率的に行うことができる画像形成装置を提供することを目的とするものである。
【０００４】
【課題を解決するための手段】
上記目的を達成するために、請求項１記載の発明は、画像読み取り手段、画像形成手段、操作手段、データ記憶手段の外、原稿裏面や次ページ原稿表面の画像が原稿表面画像と同時に形成されるのを抑制する裏写り除去手段を備えた画像形成装置において、読み取り用原稿と同じ媒体にシアン、マゼンタ、イエローの特定濃度パターンを印刷し、該印刷物を裏面からスキャンすることにより原稿材質の透過率を測定し、その値をフィードバックさせて原稿読み取り時の裏写り除去レベルを変化させる機能を有するシステム制御手段を備えた画像形成装置を最も主要な特徴とする。
請求項２記載の発明は、請求項１において、原稿材質の透過率は複数の原稿材質用にデータ記憶手段に記憶され、操作手段から、使用する原稿材質に応じて裏写り除去レベルを選択可能である画像形成装置を主要な特徴とする。
請求項３記載の発明は、請求項１において、操作手段から、使用希望／否に応じて原稿透過率検知式裏写り除去機能のＯＮ／ＯＦＦを変更可能である画像形成装置を主要な特徴とする。
【０００５】
【発明の実施の形態】
以下、本発明の実施の形態を図面を用いて詳細に説明する。
図１は本発明の実施の形態に係る画像形成装置の機能ブロック図である。本画像形成装置は、原稿画像の光学信号を電気信号に変換する画像読み取り手段１、画像読み取り手段１により得られた電気的画像信号に対して裏写り除去を行う裏写り除去手段２、裏写り除去手段２により得られた画像信号や特定濃度画像パターンを基に転写紙等の画像形成対象に画像を形成する画像形成手段３を備える。また、本装置（本画像形成装置）は、ユーザと本装置との操作用インターフェースとなる操作手段４、画像読み取り手段１により得られた電気的画像信号から原稿材質の光学的透過率を求める透過率判定手段５、透過率判定手段５により得られた原稿材質の透過率を複数記憶することができるデータ記憶手段６、各手段１〜６を統括管理制御するシステム制御手段７を備える。
【０００６】
画像読み取り手段１により読み取られた原稿の画像信号は、裏写り除去手段２に入力されて裏写り除去処理が施される。その後、画像形成手段３により画像形成が行われる。画像形成手段３はある特定濃度の画像パターンを形成することもできる。ユーザからの操作には操作手段４が使用される。後述の方法により得られる原稿材質の透過率は、画像読み取り手段１により得られる画像信号が透過率判定手段５に入力されることで判定される。その後判定結果はデータ記憶手段６に入力されて記憶される。
裏写り除去手段２により裏写り除去が行われる際、必要に応じてデータ記憶手段６から原稿材質透過率が呼び出され、裏写り除去レベル変更に用いられる。ここで、原稿材質の透過率が高い場合、裏写りしやすいため裏写り除去レベルを上げ、逆に原稿材質の透過率が低ければ、裏写り除去レベルを下げるように制御される（図２のグラフはその一例）。図１の太線が画像データ、細線が制御データを示す。
【０００７】
次に、図３、図４、図５を用いて原稿材質の透過率を判定して本装置に記憶させる手順を説明する。原稿に用いる媒体（紙等）に対して、本装置により図３のような特定濃度の画像パターンを出力する。これを図４のように裏面が読み取り側になるように本装置に設置し、一度読み取り動作を行わせて透過率を判定し、図５のようなＲｅｄ／Ｇｒｅｅｎ／Ｂｌｕｅそれぞれの透過率を得る。ここで図４において、符号１１は原稿押圧板（原稿接触面は無地白色）、１２は透過率判定用特定濃度画像パターン（上側が印刷面、読み取り側はその裏面となるように画像読み取り手段１の図示しないコンタクトガラスに設置）である。
図６、図７を用いて、原稿材質の透過率は複数の原稿材質用にデータ記憶手段６に記憶され、ユーザは使用する原稿材質に応じて、裏写り除去レベルを選択できる様子を説明をする。図６のような操作画面例により、複数の番号あるいは記号や名前で管理された原稿媒質透過率のデータを本装置に記憶させる。
次に、裏写り除去が必要な場合、図７のような操作画面例により、複数の番号あるいは記号や名前で管理された原稿媒質透過率のデータを呼び出し、裏写り除去に反映させることができる。過去に透過率を記憶させ、今使おうとしている原稿材質に対して効率よく裏写り除去を行うことができる。
【０００８】
図８を用いて、使用希望／否に応じて、原稿透過率検知式裏写り除去機能のＯＮ／ＯＦＦを変更させる手順を説明する。
Ｓ１：ユーザが原稿透過率検知式裏写り除去機能が必要であるか否か判断する。
Ｓ２：必要である場合、操作手段４の原稿透過率検知式裏写り除去機能ＯＮキー（図７のＯＦＦ以外のキーが該当）の押下により、該機能が実現される。
Ｓ３：不要である場合、操作手段４の原稿透過率検知式裏写り除去機能ＯＦＦキー（図７のＯＦＦキー）の押下により、該機能が実現されない。この場合、原稿透過率検知式裏写り除去機能のみの解除か、裏写り除去機能そのものの解除かは、更に選択可とする。
【０００９】
【発明の効果】
以上説明したように、請求項１によれば、画像読み取り手段、画像形成手段、操作手段、データ記憶手段の外、原稿裏面や次ページ原稿表面の画像が原稿表面画像と同時に形成されるのを抑制する裏写り除去手段を備えた画像形成装置において、読み取り用原稿と同じ媒体にシアン、マゼンタ、イエローの特定濃度パターンを印刷し、該印刷物を裏面からスキャンすることにより原稿材質の透過率を測定し、その値をフィードバックさせて原稿読み取り時の裏写り除去レベルを変化させる機能を有するシステム制御手段を備えたことにより、一度画像形成物を出力して設定レベルの確認をするといった従来例と比較して、時間的な浪費、あるいはサプライの浪費を抑え、裏写り除去を効率的に行うことが可能となる。
請求項２によれば、請求項１において、原稿材質の透過率は複数の原稿材質用にデータ記憶手段に記憶され、操作手段から、使用する原稿材質に応じて裏写り除去レベルを選択可能であることにより、様々な原稿材質に対して本発明が適用可能となり、一々画像形成毎に透過率測定を行う必要が無くなるためユーザの作業効率を高めることが可能となる。
請求項３によれば、請求項１において、操作手段から、使用希望／否に応じて原稿透過率検知式裏写り除去機能のＯＮ／ＯＦＦを変更可能であることにより、原稿材質の光学的「透過率」に依存した裏写り除去レベル変更が不要な場合は、裏写り除去機能をＯＦＦさせることが可能となる。
【図面の簡単な説明】
【図１】本発明の実施の形態に係る画像形成装置の機能ブロック図。
【図２】原稿透過率検知式裏写り除去機能の概念説明用のグラフ例を示す図。
【図３】透過率判定用の特定濃度画像パターン例を示す図。
【図４】透過率判定説明例を示す図。
【図５】原稿透過率検知式裏写り除去機能の概念説明用のグラフ例を示す図。
【図６】透過率判定結果のデータ格納先選択用操作画面例を示す図。
【図７】透過率判定結果のデータ呼び出し元選択あるいは機能ＯＦＦ用操作画面例を示す図。
【図８】原稿透過率検知式裏写り除去機能の要否の処理を示すフロー図。
【符号の説明】
１  画像読み取り手段
２  裏写り除去手段
３  画像形成手段
４  操作手段
５  透過率判定手段
６  データ記憶手段
７  システム制御手段
【図１】
2005039420.tif 000003
【図２】
2005039420.tif 000004
【図３】
2005039420.tif 000005
【図４】
2005039420.tif 000006
【図５】
2005039420.tif 000007
【図６】
2005039420.tif 000008
【図７】
2005039420.tif 000009
【図８】
2005039420.tif 000010